(57)【要約】【課題】多種の解像度表示や画像において、孤立点のようなノイズを確実に除去できるとともに、画質悪化を抑えた適度なノイズ除去効果を実現できるようにする。【解決手段】エッジ強調処理部２１の前段にメディアンフィルタ２２を有する表示信号処理部２０において、明るさ平均値算出部２３およびフィルタ係数決定部２４を備える。明るさ平均値算出部２３では、表示信号Ｄｉｎの１フレームの明るさ平均値を算出する。そして、フィルタ係数決定部２４において、明るさ平均値と表示画像の解像度情報とに基づいてメディアンフィルタ２２をフィルタ係数を決定し、そのフィルタ効果の強弱を制御するようにする。【選択図】図４
2011028473.tif 000002
【特許請求の範囲】
【請求項１】
入力される表示信号の１フレームの明るさ平均値を算出する明るさ平均値算出部と、
前記平均値算出部で算出された明るさ平均値と前記表示信号に基づく表示画像の解像度情報とに基づいてフィルタ係数を決定するフィルタ係数決定部と、
前記フィルタ係数決定部で決定されたフィルタ係数に基づいて前記表示信号に対してフィルタ処理を行うメディアンフィルタと、
前記メディアンフィルタでのフィルタ処理結果に基づいて前記表示信号に対してエッジ強調処理を行うエッジ強調処理部と
を備える表示信号処理装置。
【請求項２】
前記フィルタ係数決定部は、前記解像度情報に基づいて前記表示画像の解像度が高いほどフィルタ効果を強くし、当該解像度が低いほどフィルタ効果を弱くするように前記メディアンフィルタのフィルタ係数を決定する
請求項１記載の表示信号処理装置。
【請求項３】
前記フィルタ係数決定部は、表示画像の拡大操作が行われたときは、表示装置の解像度×拡大率を前記解像度情報とする
請求項１記載の表示信号処理装置。
【請求項４】
前記フィルタ係数決定部は、前記メディアンフィルタでのフィルタ係数について、処理対象画素がソート処理結果の中央値よりも値が高い画素の場合と低い画素の場合で別々に決定する
請求項１記載の表示信号処理装置。
【請求項５】
前記フィルタ係数決定部は、前記明るさ平均値が最大輝度に対する一定比率の比較値を超える場合は平均的に明るい画像と判定し、暗いノイズ成分よりも目立つ明るいノイズ成分を強く除去するように、かつ、前記処理対象画素が前記中央値よりも低い場合のフィルタレベルを高い場合のフィルタレベル以上にするように前記メディアンフィルタでのフィルタ係数を決定する
請求項４記載の表示信号処理装置。
【請求項６】
前記フィルタ係数決定部は、前記明るさ平均値が最大輝度に対する一定比率の比較値未満の場合は平均的に暗い画像と判定し、暗いノイズ成分よりも目立つ明るいノイズ成分を強く除去するように、かつ、前記処理対象画素が前記中央値よりも高い場合のフィルタレベルを低い場合のフィルタレベル以上にするように前記メディアンフィルタでのフィルタ係数を決定する
請求項４記載の表示信号処理装置。
【請求項７】
前記フィルタ係数決定部は、前記明るさ平均値が最大輝度に対する一定比率の比較値と一致する場合は平均的な明るさの画像と判定し、前記処理対象画素が前記中央値よりも高い場合のフィルタレベルと低い場合のフィルタレベルとが同等になるように前記メディアンフィルタでのフィルタ係数を決定する
請求項４記載の表示信号処理装置。
【請求項８】
入力される表示信号の１フレームの明るさ平均値と前記表示信号に基づく表示画像の解像度情報とに基づいてメディアンフィルタのフィルタ係数を決定し、
前記メディアンフィルタによって前記表示信号に対してフィルタ処理を行い、
このフィルタ処理結果に基づいて前記表示信号に対してエッジ強調処理を行う
表示信号処理方法。
【請求項９】
入力される表示信号に対してエッジ強調処理を行う表示信号処理部と、
前記表示信号処理部でエッジ強調処理された表示信号を基に画像表示を行う表示パネルモジュールとを具備し、
前記表示信号処理部は、
前記表示信号の１フレームの明るさ平均値を算出する明るさ平均値算出部と、
前記平均値算出部で算出された明るさ平均値と前記表示信号に基づく表示画像の解像度情報とに基づいてフィルタ係数を決定するフィルタ係数決定部と、
前記フィルタ係数決定部で決定されたフィルタ係数に基づいて前記表示信号に対してフィルタ処理を行うメディアンフィルタと、
前記メディアンフィルタでのフィルタ処理結果に基づいて前記表示信号に対してエッジ強調処理を行うエッジ強調処理部とを備える
表示装置。
【請求項１０】
入力される表示信号に対してエッジ強調処理を行う表示信号処理部と、
前記表示信号処理部でエッジ強調処理された表示信号を基に画像表示を行う表示パネルモジュールとを具備し、
前記表示信号処理部は、
前記表示信号の１フレームの明るさ平均値を算出する明るさ平均値算出部と、
前記平均値算出部で算出された明るさ平均値と前記表示信号に基づく表示画像の解像度情報とに基づいてフィルタ係数を決定するフィルタ係数決定部と、
前記フィルタ係数決定部で決定されたフィルタ係数に基づいて前記表示信号に対してフィルタ処理を行うメディアンフィルタと、
前記メディアンフィルタでのフィルタ処理結果に基づいて前記表示信号に対してエッジ強調処理を行うエッジ強調処理部とを備える
表示装置を有する電子機器。
【発明の詳細な説明】
【技術分野】
【０００１】
本発明は、表示信号処理装置、表示信号処理方法、表示装置および電子機器に関する。
【背景技術】
【０００２】
平面型（フラットパネル型）表示装置は、コンピュータディスプレイ、携帯端末、テレビジョンセットなどの製品で広く普及している。現在、平面型表示装置として主には液晶表示装置が多く採用されている。しかし、液晶表示装置については、依然、視野角の狭さや、応答速度の遅さが指摘されている。
【０００３】
近年、平面型表示装置として、自発光素子、例えば有機ＥＬ(electro luminescence)素子を発光素子として用いた有機ＥＬ表示装置が開発され、商品化されている。この有機ＥＬ表示装置は、液晶表示装置で指摘されている視野角や応答性の課題を克服できるのに加え、バックライトが不要な薄い形態であり、高輝度、高コントラストを達成できるため、液晶表示装置に代わる次世代表示装置として期待されている。
【０００４】
その反面、有機ＥＬ表示装置は、消費電力の高さが問題視されている。全ての表示装置にとっても共通して言えることでもあるが、消費電力を抑えることは、今後取り組むべき大きな課題として捉えられている。有機ＥＬ表示装置は自発光表示装置であり、画面内の平均表示輝度が高いほど消費電力を多く必要とする。したがって、明るく綺麗な画像表示を実現する、一般的な高画質化と低消費電力化を両立させることは今まで困難とされてきた。
【０００５】
画質や視認性を向上させる有効な手段として、エッジ（輪郭）強調という画像処理手法がある。この画像処理手法は、画像のエッジ部分を強調することによって画像全体を鮮鋭化し、画質向上を実現するものとして一般的なものである。この場合、画像のエッジ部分のみを高コントラストにするため、輝度をエンハンスする箇所が限定的になる。
【０００６】
したがって、エッジ強調という画像処理手法は、有機ＥＬ表示装置のような自発光タイプの表示装置にとっては、電力の増加を最小限に抑えながら、高画質化、高視認性を実現するのに適した手法と言える。これに対して、液晶表示装置の場合は、部分的なエンハンスのために必要な輝度はバックライトの発光輝度に依存することになるため消費電力の面で効率的ではない。
【０００７】
但し、エッジ強調機能については、一般的に、ノイズ成分も信号成分と同様に強調されてしまうという課題が存在する。信号成分とは違うノイズ成分、もしくは信号成分の中に存在している強調が望ましくないノイズ成分を高精度に分離することは非常に難しい。エッジ強調時のノイズ除去を目的としたものの中の一つに、エッジ強調機能の前段にメディアンフィルタを設けるケースがある。
【０００８】
メディアンフィルタは、処理画素に対する周囲画素の情報を使ったディジタルフィルタであり、処理画素のデータを、フィルタ内画素データのソート結果の中央値に入れ替える処理を行うことで、一般的にゴマ塩状のノイズを除去できる。メディアンフィルタは、信号全域がボケる通常の移動平均フィルタとは違い、エッジ成分を保持し、ノイズのみをぼかすが出来る利点もあり、今日最もよく使われるフィルタのうちの一つである。
【０００９】
しかし同時に、メディアンフィルタについては、画像情報が少ない（解像度が低い）画像においては、本来のエッジ（画像）情報に悪影響を与えるため、フィルタリングによる画質劣化を招いてしまうという問題がある。
【００１０】
従来は、画像の拡大率が減少すると共に、メディアンフィルタ内の画素データのうち任意の数の画素データを処理画素データなどと入れ替えて、処理画素データの中央値との入れ替え処理が起こる確率を減らし、そのまま出力させることでフィルタ効果を弱めるようにしていた（例えば、特許文献１参照）。
【００１１】
また、メディアンフィルタの効き具合を人の色の比視感度や明るさなどによって変化させ、フィルタ効果の強弱を制御可能な構成としていた（例えば、特許文献２参照）。この場合、ソート計算時に中央値の存在比率を増やし、中央値に変換されない確立を増やすことでフィルタ効果の強弱を制御可能な構成としている。
【先行技術文献】
【特許文献】
【００１２】
【特許文献１】特開２００２−０４４４２５号公報
【特許文献２】特開２００４−１５１９０７号公報
【発明の概要】
【発明が解決しようとする課題】
【００１３】
特許文献１に係る従来技術の場合、フィルタ内の任意の適当な画素情報を入れ替えてしまうため、処理画素がそのまま出力されれば良いが、中央値が全く違ったものにすり替えられてしまうかもしれないという問題がある。また、フィルタを弱める効果が確率論に基づいていて確実性が無い。さらに、フィルタ効果を弱めているときに、孤立点のようなノイズを確実に取りきれないという問題もある。
【００１４】
特許文献２に係る従来技術の場合も、処理画素のデータが中央値として選択されるだろう確率を増やす方式でのフィルタ効果の増減になる。フィルタのタップ数も増えていくため、ソート処理の規模も増えてしまう。また、中央値に変換されてしまうかもしれない確率も存在するし、特許文献１に係る従来技術と同様に、孤立点のようなノイズを確実に取りきれない。
【００１５】
このように従来は、表示の拡大率に応じてフィルタ効果を増減させる手法はあっても、フィルタ処理規模を増やしてしまっていたり、中央値への変換が行われないような確率を変動させるだけであったりして、確実にフィルタ効果を謳えるものではなかった。また、孤立点のようなノイズを確実に除去できないという問題もあった。
【００１６】
そこで、本発明は、多種の解像度表示や画像において、孤立点のようなノイズを確実に除去できるとともに、画質悪化を抑えた適度なノイズ除去効果を実現できる表示信号処理装置、表示信号処理方法、表示装置および電子機器を提供することを目的とする。
【課題を解決するための手段】
【００１７】
上記目的を達成するために、本発明は、
エッジ強調機能の前段にメディアンフィルタを設けてなる表示信号処理装置において、
入力される表示信号の１フレームの明るさ平均値と前記表示信号に基づく表示画像の解像度情報とに基づいてメディアンフィルタのフィルタ係数を決定し、
前記メディアンフィルタによって前記表示信号に対してフィルタ処理を行い、
このフィルタ処理結果に基づいて前記表示信号に対してエッジ強調処理を行う
構成を採っている。
【００１８】
表示信号に基づく表示画像の解像度情報や１フレームの明るさ平均値を基にメディアンフィルタのフィルタ係数を決定することで、表示画像の解像度や明るさ平均に応じてメディアンフィルタのフィルタ効果の強弱を制御できる。これにより、多種の解像度表示や画像において、孤立点のようなノイズを確実に除去できるとともに、画質悪化を抑えた適度なノイズ除去効果を実現できる。
【発明の効果】
【００１９】
本発明によれば、表示画像の解像度や明るさ平均に応じてメディアンフィルタのフィルタ効果の強弱を制御できるため、多種の解像度表示や画像において、孤立点のようなノイズを確実に除去できるとともに、画質悪化を抑えた適度なノイズ除去効果を実現できる。
【図面の簡単な説明】
【００２０】
【図１】本発明が適用される表示装置の要部の構成を示すブロック図である。
【図２】表示パネルモジュールの構成の一例を示すブロック図である。
【図３】画素（画素回路）の具体的な回路構成を示す回路図である。
【図４】本発明の一実施形態に係る表示信号処理部の具体的な構成を示すブロック図である。
【図５】エッジ抽出部によるエッジ抽出についての説明図である。
【図６】２次微分フィルタのフィルタリング処理についての説明図である。
【図７】メディアンフィルタの一般的な例についての説明図である。
【図８】メディアンフィルタにおけるフィルタ効果の強弱を制御する手法についての説明図である。
【図９】フィルタ処理の強弱を表示画像の状態に応じて制御する一実施例についての説明図である。
【図１０】表示画像の解像度に応じてフィルタレベルを制御する一実施例についての説明図である。
【図１１】フィルタ係数の設定処理の一例を示すフローチャートである。
【図１２】本発明が適用されるテレビジョンセットの外観を示す斜視図である。
【図１３】本発明が適用されるデジタルカメラの外観を示す斜視図であり、（Ａ）は表側から見た斜視図、（Ｂ）は裏側から見た斜視図である。
【図１４】本発明が適用されるノート型パーソナルコンピュータの外観を示す斜視図である。
【図１５】本発明が適用されるビデオカメラの外観を示す斜視図である。
【図１６】本発明が適用される携帯電話機を示す外観図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。
【発明を実施するための形態】
【００２１】
以下、発明を実施するための形態（以下、「実施形態」と記述する）について図面を用いて詳細に説明する。なお、説明は以下の順序で行う。
１．本発明が適用される表示装置（有機ＥＬ表示装置の例）
１−１．システム構成
１−２．回路動作
２．実施形態に係る表示信号処理部（表示信号処理装置）
２−１．表示信号処理部の構成例
２−２．実施形態の作用効果
３．変形例
４．適用例（電子機器）
【００２２】
＜１．本発明が適用される表示装置＞
［１−１．システム構成］
図１は、本発明が適用される表示装置の要部の構成を示すブロック図である。図１に示すように、本適用例に係る表示装置１０は、表示信号処理部２０および表示パネルモジュール３０を含む構成となっている。
【００２３】
表示信号処理部２０は、映像信号等の表示信号（輝度信号）Ｄｉｎを入力とし、当該表示信号Ｄｉｎに対して後述するエッジ（輪郭）強調などの信号処理を行い、その処理後の表示信号（輝度信号）Ｄｏｕｔを表示パネルモジュール３０に対して供給する。表示信号処理部２０には、表示信号Ｄｉｎに加えて当該表示信号Ｄｉｎに基づく表示画像の解像度情報も画像送信側から入力される。この表示信号処理部２０は本発明による表示信号処理装置でもあり、その詳細については後述する。
【００２４】
なお、本例では、表示信号処理部２０を表示パネルモジュール３０の外部回路として設けた構成を採っているが、表示パネルモジュール３０の内部回路として表示パネル上に搭載する構成を採ることも可能である。
【００２５】
表示パネルモジュール３０は、発光素子を含む画素（画素回路）が行列状に２次元配置されてなり、表示信号処理部２０から供給される表示信号Ｄｏｕｔに応じて画素を発光駆動することで画像を表示する。本例に係る表示パネルモジュール３０は、一例として、デバイスに流れる電流値に応じて発光輝度が変化する電流駆動型の電気光学素子、例えば有機ＥＬ素子を画素の発光素子として用いた有機ＥＬパネルモジュールである。
【００２６】
（表示パネルモジュール）
図２は、表示パネルモジュール（有機ＥＬパネルモジュール）３０の構成の一例を示すブロック図である。
【００２７】
図２に示すように、本例に係る表示パネルモジュール３０は、有機ＥＬ素子を含む複数の画素４０が行列状に２次元配置された画素アレイ部３１と、画素アレイ部３１の周辺に配置された駆動部とを有する構成となっている。画素アレイ部３２の周辺の駆動部は、書込み走査回路３２、電源供給走査回路３３および信号出力回路（水平セレクタ）３４等からなり、画素アレイ部３１の各画素４０を駆動する。
【００２８】
ここで、表示パネルモジュール３０がカラー表示対応の場合は、１つの画素は複数の副画素（サブピクセル）から構成され、この副画素が画素４０に相当することになる。より具体的には、カラー表示用のパネルモジュールでは、１つの画素は、赤色光（Ｒ）を発光する副画素、緑色光（Ｇ）を発光する副画素、青色光（Ｂ）を発光する副画素の３つの副画素から構成される。
【００２９】
ただし、１つの画素としては、ＲＧＢの３原色の副画素の組み合わせに限られるものではなく、３原色の副画素にさらに１色あるいは複数色の副画素を加えて１つの画素を構成することも可能である。より具体的には、例えば、輝度向上のために白色光（Ｗ）を発光する副画素を加えて１つの画素を構成したり、色再現範囲を拡大するために補色光を発光する少なくとも１つの副画素を加えて１つの画素を構成したりすることも可能である。
【００３０】
画素アレイ部３１には、ｍ行ｎ列の画素４０の配列に対して、行方向（画素行の画素の配列方向）に沿って走査線３５−１〜３５−ｍおよび電源供給線３６−１〜３６−ｍが画素行ごとに配線されている。さらに、列方向（画素列の画素の配列方向）に沿って信号線３７−１〜３７−ｎが画素列ごとに配線されている。
【００３１】
走査線３５−１〜３５−ｍは、書込み走査回路３２の対応する行の出力端にそれぞれ接続されている。電源供給線３６−１〜３６−ｍは、電源供給走査回路３３の対応する行の出力端にそれぞれ接続されている。また、信号線３７−１〜３７−ｎは、信号出力回路３４の対応する列の出力端にそれぞれ接続されている。
【００３２】
画素アレイ部３１は、通常、ガラス基板などの透明絶縁基板上に形成される。この画素アレイ部３１と同じ基板上に書込み走査回路３２、電源供給走査回路３３および信号出力回路３４を実装することで、表示パネルモジュール（有機ＥＬパネルモジュール）３０が構成される。
【００３３】
書込み走査回路３２は、クロックパルスｃｋに同期してスタートパルスｓｐを順にシフト（転送）するシフトレジスタ等によって構成されている。この書込み走査回路３２は、画素アレイ部３１の各画素４０への映像信号の書込みに際し、走査線３５−１〜３５−ｍに対して書込み走査信号ＷＳ（ＷＳ１〜ＷＳｍ）を順次出力することによって画素アレイ部３１の各画素４０を行単位で順番に走査（線順次走査）する。
【００３４】
電源供給走査回路３３は、クロックパルスｃｋに同期してスタートパルスｓｐを順にシフトするシフトレジスタ等によって構成されている。この電源供給走査回路３３は、書込み走査回路３２による線順次走査に同期して、第１電源電位ＶＣＣＰと当該第１電源電位ＶＣＣＰよりも低い第２電源電位Ｖｉｎｉで切り替わる電源電位ＤＳ（ＤＳ１〜ＤＳｍ）を電源供給線３６−１〜３６−ｍに対して出力する。
【００３５】
信号出力回路３４は、表示信号処理部２０（図１参照）から供給される表示信号Ｄｏｕｔ、例えば輝度情報に応じた映像信号の信号電圧（以下、単に「信号電圧」と記述する場合もある）Ｖｓｉｇと基準電位Ｖｏｆｓとを選択的に出力する水平セレクタである。ここで、基準電位Ｖｏｆｓは、映像信号の信号電圧Ｖｓｉｇの基準となる電圧（例えば、映像信号の黒レベルに相当する電圧）である。
【００３６】
信号出力回路３４から出力される信号電圧Ｖｓｉｇ／基準電位Ｖｏｆｓは、信号線３５−１〜３５−ｎを介して画素アレイ部３１の各画素４０に対して行単位で書き込まれる。すなわち、信号出力回路３４は、信号電圧Ｖｓｉｇを行（ライン）単位で書き込む線順次書込みの駆動形態を採っている。
【００３７】
（画素回路）
図３は、画素（画素回路）４０の具体的な回路構成を示す回路図である。
【００３８】
図３に示すように、画素４０は、デバイスに流れる電流値に応じて発光輝度が変化する電流駆動型の電気光学素子である有機ＥＬ素子４１と、当該有機ＥＬ素子４１を駆動する駆動回路とによって構成されている。有機ＥＬ素子４１は、全ての画素４０に対して共通に配線（いわゆる、ベタ配線）された共通電源供給線３８にカソード電極が接続されている。
【００３９】
有機ＥＬ素子４１を駆動する駆動回路は、駆動トランジスタ４２、書込みトランジスタ（サンプリングトランジスタ）４３および保持容量４４を有する構成となっている。ここでは、駆動トランジスタ４２および書込みトランジスタ４３としてＮチャネル型の薄膜トランジスタ（Thin Film Transistor；ＴＦＴ）を用いている。ただし、ここでの駆動トランジスタ４２および書込みトランジスタ４３の導電型の組み合わせは一例に過ぎず、これらの組み合わせに限られるものではない。
【００４０】
駆動トランジスタ４２は、一方の電極（ソース／ドレイン電極）が有機ＥＬ素子４１のアノード電極に接続され、他方の電極（ドレイン／ソース電極）が電源供給線３６（３６−１〜３６−ｍ）に接続されている。
【００４１】
書込みトランジスタ４３は、一方の電極（ソース／ドレイン電極）が信号線３７（３７−１〜３７−ｎ）に接続され、他方の電極（ドレイン／ソース電極）が駆動トランジスタ４２のゲート電極に接続されている。また、書込みトランジスタ４３のゲート電極は、走査線３５（３５−１〜３５−ｍ）に接続されている。
【００４２】
駆動トランジスタ４２および書込みトランジスタ４３において、一方の電極とは、ソース／ドレイン領域に電気的に接続された金属配線を言い、他方の電極とは、ドレイン／ソース領域に電気的に接続された金属配線を言う。また、一方の電極と他方の電極との電位関係によって一方の電極がソース電極ともなればドレイン電極ともなり、他方の電極がドレイン電極ともなればソース電極ともなる。
【００４３】
保持容量４４は、一方の電極が駆動トランジスタ４２のゲート電極に接続され、他方の電極が駆動トランジスタ４２の他方の電極および有機ＥＬ素子４１のアノード電極に接続されている。
【００４４】
かかる画素４０において、書込みトランジスタ４３は、書込み走査回路３２から走査線３５を通してゲート電極に印加されるＨｉｇｈアクティブの書込み走査信号ＷＳに応答して導通状態となる。これにより、書込みトランジスタ４３は、信号線３７を通して信号出力回路３４から供給される輝度情報に応じた映像信号の信号電圧Ｖｓｉｇまたは基準電位Ｖｏｆｓをサンプリングして画素４０内に書き込む。この書き込まれた信号電圧Ｖｓｉｇまたは基準電位Ｖｏｆｓは、駆動トランジスタ４２のゲート電極に印加されるとともに保持容量４４に保持される。
【００４５】
駆動トランジスタ４２は、電源供給線３６の電位ＤＳが第１電源電位Ｖｃｃｐにあるときには、一方の電極がドレイン電極、他方の電極がソース電極となって飽和領域で動作する。これにより、駆動トランジスタ４２は、電源供給線３６から電流の供給を受けて有機ＥＬ素子４１を電流駆動にて発光駆動する。より具体的には、駆動トランジスタ４２は、飽和領域で動作することにより、保持容量４４に保持された信号電圧Ｖｓｉｇの電圧値に応じた電流値の駆動電流を有機ＥＬ素子４１に供給し、当該有機ＥＬ素子４１を電流駆動することによって発光させる。
【００４６】
駆動トランジスタ４２はさらに、電源電位ＤＳが第１電源電位Ｖｃｃｐから第２電源電位Ｖｉｎｉに切り替わったときには、一方の電極がソース電極、他方の電極がドレイン電極となってスイッチングトランジスタとして動作する。これにより、駆動トランジスタ４２は、有機ＥＬ素子４１への駆動電流の供給を停止し、有機ＥＬ素子４１を非発光状態にする。すなわち、駆動トランジスタ４２は、有機ＥＬ素子４１の発光／非発光を制御するトランジスタとしての機能をも併せ持っている。
【００４７】
この駆動トランジスタ４２のスイッチング動作により、有機ＥＬ素子４１が非発光状態となる期間（非発光期間）を設け、有機ＥＬ素子４１の発光期間と非発光期間の割合（デューティ）を制御することができる。このデューティ制御により、１フレーム期間に亘って画素４０が発光することに伴う残像ボケを低減できるために、特に動画の画品位をより優れたものとすることができる。
【００４８】
電源供給走査回路３３から電源供給線３６を通して選択的に供給される第１，第２電源電位Ｖｃｃｐ，Ｖｉｎｉのうち、第１電源電位Ｖｃｃｐは有機ＥＬ素子４１を発光駆動する駆動電流を駆動トランジスタ４２に供給するための電源電位である。また、第２電源電位Ｖｉｎｉは、有機ＥＬ素子４１に対して逆バイアスを掛けるための電源電位である。この第２電源電位Ｖｉｎｉは、基準電位Ｖｏｆｓよりも低い電位、例えば駆動トランジスタ２２の閾値電圧をＶｔｈとするときＶｏｆｓ−Ｖｔｈよりも低い電位に設定される。
【００４９】
なお、本例に係る画素回路では、有機ＥＬ素子４１の駆動回路として、駆動トランジスタ４２および書込みトランジスタ４３の２つのトランジスタと保持容量４４の１つの容量素子とからなる回路構成のものを例に挙げたが、これに限られるものではない。
【００５０】
他の回路例としては、例えば、一方の電極が有機ＥＬ素子４１のアノード電極に、他方の電極が固定電位にそれぞれ接続されることで、有機ＥＬ素子４１の容量不足分を補う補助容量を必要に応じて設けた回路構成を採ることも可能である。
【００５１】
さらには、駆動トランジスタ４２に対して直列にスイッチングトランジスタを接続し、当該スイッチングトランジスタの導通／非導通によって有機ＥＬ素子４１の発光／非発光の制御（デューティ制御）を行う回路構成を採ることも可能である。
【００５２】
［１−２．回路動作］
上記構成の表示装置１０、具体的には発光素子として有機ＥＬ素子４１を用いた有機ＥＬ表示装置の回路動作について図３を用いて説明する。
【００５３】
図３において、信号出力回路３４は信号線３７に対して映像信号の信号電圧ｖｓｉｇと当該信号電圧ｖｓｉｇを出力する以外の期間では基準電位Ｖｏｆｓを出力する動作を１フレーム周期で繰り返す。そして、線順次走査の新しいフレーム（現フレーム）に入ると、電源供給走査回路３３から電源供給線３６に与えられる電源電位ＤＳが第１電源電位Ｖｃｃｐから第２電源電位Ｖｉｎｉに切り替わる。これにより、電源供給線３６→駆動トランジスタ４２→有機ＥＬ素子４１の駆動電流の供給経路が遮断されるため有機ＥＬ素子４１は非発光状態となる。
【００５４】
その後、信号線３７の電位が基準電位Ｖｏｆｓにある状態において、書込み走査回路３２から書込み走査信号ＷＳが出力されると、当該書込み走査信号ＷＳに応答して書込みトランジスタ４３が基準電位Ｖｏｆｓをサンプリングする。このサンプリングにより、駆動トランジスタ４２のゲート電位Ｖｇが基準電位Ｖｏｆｓに初期化される。このとき、駆動トランジスタ４２のソース電位Ｖｓが第２電源電位Ｖｉｎｉとなっているため、駆動トランジスタ４２のゲート−ソース間電圧ＶｇｓはＶｏｆｓ−Ｖｉｎｉとなる。
【００５５】
その後、電源供給線３６の電源電位ＤＳが第２電源電位Ｖｉｎｉから第１電源電位Ｖｃｃｐに切り替わる。すると、駆動トランジスタ４２のゲート電位Ｖｇが基準電位Ｖｏｆｓに保たれた状態で、当該ゲート電位Ｖｇから駆動トランジスタ４２の閾値電圧Ｖｔｈを減じた電位に向けてソース電位Ｖｓが上昇を開始する。
【００５６】
やがて、駆動トランジスタ４２のゲート−ソース間電圧Ｖｇｓが駆動トランジスタ４２の閾値電圧Ｖｔｈに収束する。この閾値電圧Ｖｔｈに相当する電圧は保持容量４４に保持される。その後、信号線３７の電位が基準電位Ｖｏｆｓから映像信号の信号電圧Ｖｓｉｇに切り替わる。そして、書込み走査回路３２から再び書込み走査信号ＷＳが出力されることで、書込みトランジスタ４３が導通状態になって映像信号の信号電圧Ｖｓｉｇを書き込む。この信号電圧Ｖｓｉｇの書込みにより、駆動トランジスタ４２のゲート電位Ｖｇが信号電圧Ｖｓｉｇとなる。
【００５７】
そして、信号電圧Ｖｓｉｇによる駆動トランジスタ４２の駆動の際に、当該駆動トランジスタ４２の閾値電圧Ｖｔｈが保持容量４４に保持された閾値電圧Ｖｔｈに相当する電圧と相殺される。その結果、駆動トランジスタ４２の閾値電圧Ｖｔｈの画素ごとのばらつきがキャンセルされる（閾値補正処理）。このとき、有機ＥＬ素子４１はカットオフ状態にある。したがって、映像信号の信号電圧Ｖｓｉｇに応じて電源供給線３６から駆動トランジスタ４２に流れる電流は有機ＥＬ素子４１の等価容量に流れ込み、当該等価容量の充電が開始される。
【００５８】
この充電により、駆動トランジスタ４２のソース電位Ｖｓが時間の経過と共に上昇していく。このとき既に、駆動トランジスタ４２の閾値電圧Ｖｔｈの画素ごとのばらつきがキャンセルされており、駆動トランジスタ４２のドレイン−ソース間電流Ｉｄｓは当該駆動トランジスタ４２の移動度（チャネルを構成する半導体薄膜の移動度）μに依存したものとなる。
【００５９】
ここで、駆動トランジスタ４２のソース電位ＶｓがΔＶだけ上昇し、Ｖｏｆｓ−Ｖｔｈ＋ΔＶの電位になると、駆動トランジスタ４２のゲート‐ソース間電圧ＶｇｓはＶｓｉｇ−Ｖｏｆｓ＋Ｖｔｈ−ΔＶとなる。すなわち、駆動トランジスタ４２のソース電位Ｖｓの上昇分ΔＶは、保持容量４４に保持された電圧（Ｖｓｉｇ−Ｖｏｆｓ＋Ｖｔｈ）から差し引かれるように、換言すれば、保持容量４４の充電電荷を放電するように作用し、負帰還がかけられたことになる。
【００６０】
このように、駆動トランジスタ４２に流れるドレイン−ソース間電流Ｉｄｓに応じた帰還量ΔＶでゲート‐ソース間電圧Ｖｇｓに負帰還をかけることで、駆動トランジスタ４２のドレイン−ソース間電流Ｉｄｓの移動度μに対する依存性を打ち消すことができる。この打ち消す処理が、駆動トランジスタ４２の移動度μの画素ごとのばらつきを補正する移動度補正処理である。この移動度補正処理は、信号電圧Ｖｓｉｇの書込み処理と並行して行われる。
【００６１】
信号電圧Ｖｓｉｇの書込み処理が終了し、書込み走査信号ＷＳが消滅すると、書込みトランジスタ４３が非導通状態となる。すると、駆動トランジスタ４２のゲート電極は、信号線３７から電気的に切り離されるためにフローティング状態になる。このフローティング状態では、駆動トランジスタ４２のゲート−ソース間に保持容量４４が接続されていることで、駆動トランジスタ４２のソース電位Ｖｓの変動に連動してゲート電位Ｖｇも変動する（ブートストラップ動作）。
【００６２】
駆動トランジスタ４２のゲート電極がフローティング状態になり、それと同時に、駆動トランジスタ４２のドレイン−ソース間電流Ｉｄｓが有機ＥＬ素子２１に流れ始めることにより、当該電流Ｉｄｓに応じて有機ＥＬ素子２１のアノード電位が上昇する。そして、有機ＥＬ素子４１の閾値電圧をＶｔｈｅｌ、カソード電位をＶｃａｔｈとするとき、有機ＥＬ素子４１のアノード電位がＶｔｈｅｌ＋Ｖｃａｔｈを越えると、有機ＥＬ素子４１に駆動電流が流れ始めるために有機ＥＬ素子４１が発光を開始する。
【００６３】
上述した一連の回路動作の説明から明らかなように、本適用例に係る有機ＥＬ表示装置は、駆動トランジスタ４２の閾値電圧Ｖｔｈの変動に対する補正機能および駆動トランジスタ４２の移動度μの変動に対する補正機能を有している。このように、閾値補正機能や移動度補正機能を有することで、駆動トランジスタ４２のトランジスタ特性の経時変化の影響を受けることなく、有機ＥＬ素子４１の発光輝度を一定に保つことができるために、有機ＥＬ表示装置の表示品質の向上を図ることができる。
【００６４】
＜２．実施形態に係る表示信号処理部＞
続いて、本発明による表示信号処理装置である表示信号処理部２０の詳細について説明する。前にも述べたように、表示信号処理部２０は、映像信号等の表示信号（輝度信号）Ｄｉｎを入力とし、当該表示信号Ｄｉｎに対して後述するエッジ強調などの信号処理を行い、その処理後の表示信号（輝度信号）Ｄｏｕｔを表示パネルモジュール３０に対して供給する。
【００６５】
表示信号処理部２０には、表示信号Ｄｉｎに加えて当該表示信号Ｄｉｎに基づく表示画像の解像度情報も画像送信側から入力される。この表示信号処理部２０において、表示信号Ｄｉｎに対してエッジ強調処理を行うことで、表示画像の高画質化および視認性の向上を図ることができる。
【００６６】
［２−１．表示信号処理部の構成例］
図４は、本発明の一実施形態に係る表示信号処理部２０の具体的な構成を示すブロック図である。図４に示すように、本実施形態に係る表示信号処理部２０は、エッジ強調処理部２１、メディアンフィルタ２２、明るさ平均値算出部２３およびフィルタ係数決定部２４を有する構成となっている。表示信号処理部２０に与えられる表示信号Ｄｉｎは、エッジ強調処理部２１、メディアンフィルタ２２および明るさ平均値算出部２３にそれぞれ入力される。
【００６７】
（エッジ強調処理部）
エッジ強調処理部２１は、例えば、加算部２１１、エッジ抽出部２１２およびエッジ量制御部２１３によって構成され、入力される表示信号Ｄｉｎに対してエッジ強調処理を行う。具体的には、エッジ強調処理部２１において、加算部２１１は、表示信号Ｄｉｎに対してエッジ量制御部２１３の出力信号、即ち後述するエッジ信号を加算して表示信号Ｄｏｕｔとして出力する。この表示信号Ｄｏｕｔは、図１に示す表示パネルモジュール３０に供給される。
【００６８】
エッジ抽出部２１２はフィルタによって構成され、表示信号Ｄｉｎの高周波成分であるエッジ成分を抽出する。図５に、入力信号の波形に対する１次微分波形および２次微分波形を示す。一般的に、映像信号（画像信号）の高周波成分であるエッジ成分を抽出するフィルタは、プリシュート、オーバーシュートの双方の強調を行う。したがって、エッジ抽出部２１２を構成するフィルタとしては、高域通過フィルタの一種である２次微分フィルタが使用される。
【００６９】
２次微分フィルタのフィルタリング処理では、一例として、図６に示すように、対象画素に対して周囲８画素の近傍画素データが使われる。一般的には、空間方向で考えて、横方向のみ：横方向２次微分、縦方向のみ：縦方向２次微分、縦横方向：ラプラシアン（４近傍）、縦横斜め方向：ラプラシアン（８近傍）のディジタルフィルタが使用される。
【００７０】
エッジ量制御部２１３は、エッジ抽出部２１２で抽出されたエッジ成分を基にエッジ強調処理に際しての強調度合いを算出し、この算出したエッジ強調度合いをエッジ成分に対して乗ずる演算処理を行う。この演算処理後のエッジ成分（エッジ信号）は加算部２１１に供給され、当該加算部２１１において入力される表示信号Ｄｉｎに対して加算されることによってエッジ強調を行う。
【００７１】
なお、ここで示したエッジ強調処理部２１の構成は一例に過ぎず、この構成のものに限られるものではない。例えば、エッジ抽出部２１２とエッジ量制御部２１３の間に、エッジ抽出部２１２で抽出されたエッジ成分を非線形関数で補正する非線形関数補正部を有する構成のエッジ強調処理部等を用いることも可能である。非線形関数補正部は、ノイズ成分の強調を抑制するコアリングと呼ばれる機能と、プリシュート／オーバーシュート（大振幅エッジ成分の強調）を抑制するクリッピングと呼ばれる機能の２つの機能をエッジ強調機能での主な目的（役割）とする。
【００７２】
（メディアンフィルタ）
メディアンフィルタ２２は、フィルタ係数決定部２４で決定されたフィルタ係数に基づいて表示信号Ｄｉｎに対してフィルタ処理を行う。メディアンフィルタ２２の一般的な例について図７を用いて説明する。
【００７３】
一般的にメディアンフィルタ２２は、処理対象画素に対して、当該処理対象画素とその周囲８近傍画素のデータを使う３×３タップ数のディジタルフィルタ処理を行う場合、データの大きさ順にソート処理を行い、そのソート結果の中央値に入れ替える処理を行う。図７の場合は、処理対象画素のデータは１０であったが、中央値４に入れ替えて出力される。
【００７４】
上記のようなメディアンフィルタ２２によるフィルタ処理により、ゴマ塩状のノイズに対してノイズ除去を行うことができる。通常、平滑化処理を行うとエッジのボケが生ずるが、メディアンフィルタ２２の場合はエッジ成分が保持されることが大きな特徴の一つであり、エッジのボケは生じない。ここでは、メディアンフィルタ２２のタップ数を３×３としたが、３×３タップ数に限られない。
【００７５】
続いて、メディアンフィルタ２２におけるフィルタ効果の強弱を制御する手法について図８を用いて説明する。
【００７６】
メディアンフィルタ２２は、図中Ｄ4を処理対象画素とした場合に当該画素Ｄ4の周囲８近傍画素Ｄ0〜Ｄ8とのソート結果において、その中央値と値を入れ替えることでフィルタ効果を発揮する。すなわち、ある判定基準を以って中央値との入替えを行わない状況を作り出すことによってフィルタ効果の強弱を制御することができるようになる。
【００７７】
そこで、本実施形態では先ず、処理対象画素Ｄ4が中央値よりも値が低い（暗い）画素か高い（明るい）画素かによって、個別に入替え処理を行うか否かのスレッショルドレベルを決められるようにする。こうすることにより、ゴマ塩状のノイズの中でも暗いノイズか明るいノイズかを選択して集中的にフィルタ処理によって除去することが可能になる。
【００７８】
ここでは、仮に画素データを８ｂｉｔとした場合に、画素Ｄ0〜Ｄ8のデータがＤ0＝５０、Ｄ1＝１５０、Ｄ2＝１８０、Ｄ3＝４０、Ｄ4＝２０、Ｄ5＝１６０、Ｄ6＝１０、Ｄ7＝３０、Ｄ8＝１２０であるとしている。このとき、ソート後の結果をＳｍｉｎ≦Ｓ１≦Ｓ２≦Ｓ３≦Ｓ４≦Ｓ５≦Ｓ６≦Ｓ７≦Ｓｍａｘに当てはめると、Ｓｍｉｎ＝Ｄ6≦Ｓ１＝Ｄ4≦Ｓ２＝Ｄ7≦Ｓ３＝Ｄ3≦Ｓ４＝Ｄ0≦Ｓ５＝Ｄ8≦Ｓ６＝Ｄ1≦Ｓ７＝Ｄ5≦Ｓｍａｘ＝Ｄ2となり、中央値はＳ４となる。
【００７９】
通常のメディアンフィルタ処理においては、画素Ｄ4は中央値である画素Ｄ0に入れ替わって出力される処理が行われるが、ここでは元々の画素Ｄ4のデータがソート後にどこにいった（どのＳ値になった）かに応じて入替え処理を行うか否かを決めるスレッショルドレベルを設ける。中央値Ｓ４に対して＋側にソートされた場合のフィルタＯＮ／ＯＦＦスレッショルドレベルをＳｔｈ＿ｐ、反対に−側にソートされた場合のフィルタＯＮ／ＯＦＦスレッショルドレベルをＳｔｈ＿ｎとし、それぞれ個別にコントロールできる。
【００８０】
このレベル値は次のように選択される。フィルタレベルを０（弱）〜４（強）まで５段階設け、０〜５で指定される。０の場合はどの状態においても入替え処理を行わず、即ちフィルタＯＦＦの状態になる。１〜４の場合はフィルタＯＮの状態になり、Ｄ4≦Ｓｔｈ＿ｎ（１：Ｓｍｉｎ、２：Ｓ１、３：Ｓ２、４：Ｓ３）、もしくはＤ4≧Ｓｔｈ＿ｐ（１：Ｓｍａｘ、２：Ｓ７、３：Ｓ６、４：Ｓ５）の条件のみ中央値との入替え処理を行う。こうすることにより、フィルタ効果の強弱を明るいノイズ、暗いノイズに対して個別に適度にコントロールできるようになる。
【００８１】
次に、フィルタ処理の強弱を表示画像の状態、具体的には１フレームの明るさ平均値に応じて制御する一実施例について図９を用いて説明する。この１フレームの明るさ平均値に応じたフィルタ処理の強弱の制御は、フィルタ係数決定部２４によるフィルタ係数の設定によって実現される。また、１フレームの明るさ平均値は、明るさ平均値算出部２３によって算出される。
【００８２】
なお、上述したように、フィルタ効果の強弱を制御することができるようになるのは、次のような状態になるからである。
【００８３】
フィルタレベルが１に設定された場合、＋側（明るいノイズ）においてはＳｔｈ＿ｐ＝Ｓｍａｘに設定される。すなわち、画素Ｄ4が周辺８近傍画素内で最高輝度画素である場合にのみ中央値の入替え処理が行われ、それ以外の場合においては入替え処理が行われずそのまま出力される。最高輝度の孤立点であった場合のみの入替え処理となるためフィルタ効果は弱い。
【００８４】
同様に、−側（暗いノイズ）においてはＳｔｈ＿ｎ＝Ｓｍｉｎに設定される。すなわち、画素Ｄ4が周辺８近傍画素内で最低輝度の画素である場合にのみ中央値の入替え処理が行われ、それ以外の場合においては入替え処理が行われずそのまま出力される。最低輝度の孤立点であった場合のみの入替え処理となるためフィルタ効果は弱い。
【００８５】
反対に、フィルタレベルが４に設定された場合、＋側（明るいノイズ）においてはＳｔｈ＿ｐ＝Ｓ５に設定される。すなわち、画素Ｄ4が中央値よりも高ければ（明るければ）全て中央値との入替え処理が行われ、通常のメディアンフィルタ処理となるためフィルタ効果は強い。
【００８６】
同様に、−側（暗いノイズ）においてはＳｔｈ＿ｐ＝Ｓ３に設定される。すなわち、画素Ｄ4が中央値よりも低ければ（暗ければ）全て中央値との入替え処理が行われ、通常のメディアンフィルタ処理となるためフィルタ効果は強い。
【００８７】
これを画像内容に応じて、適応的にコントロールする。ここで、画像内容としては、表示画面の輝度平均値（１フレームの明るさ平均値）、一般的にはＡＰＬ(Average Picture Level)を使用する。
【００８８】
平均的に明るい画像であれば暗いノイズが目立つ。逆に平均的に暗い画像であれば明るいノイズが目立つ。したがって、平均的に明るい画像の場合は暗いノイズをよく除去できるように、平均的に暗い画像の場合は明るいノイズをよく除去できるように、重み付けをしたフィルタレベルを設定するようにする。
【００８９】
ＡＰＬをＹａｖｅとすると、１フレームの明るさ（輝度）平均値Ｙａｖｅをある比較値α％と比較し、Ｓｔｈ＿ｐ＞Ｓｔｈ＿ｎ、Ｓｔｈ＿ｐ＝Ｓｔｈ＿ｎ、Ｓｔｈ＿ｐ＜Ｓｔｈ＿ｎの３状態の遷移をコントロールするようにする。ここでは、比較値αを最大階調に対する一定比率とする。この最大階調に対する一定比率としては例えば最大階調の６０％程度とする。比較値αを最大階調の６０％程度にするのは以下の理由による。
【００９０】
通常、ディスプレイに表示される様々な画像種の平均輝度レベルを算出すると、最大階調の３０％程度であると言われることが最も一般的である。これをディスプレイの最も一般的なγ特性２.２乗で逆算すると、画像データから算出されるＡＰＬにおいては世の中の様々な画像種の平均ＡＰＬは最大階調のおおよそ５８％になることから、比較値αを最大階調の５８％、約６０％に設定する。当然、アプリケーションによって任意に変更可能である。
【００９１】
Ｙａｖｅ＞α％であればＳｔｈ＿ｐ＜Ｓｔｈ＿ｎ、Ｙａｖｅ＝α％であればＳｔｈ＿ｐ＝Ｓｔｈ＿ｎ、Ｙａｖｅ＜α％であればＳｔｈ＿ｐ＞Ｓｔｈ＿ｎの状態が選択されるように動作させる。
【００９２】
次に、表示画像の解像度に応じてフィルタレベルを制御する一実施例について図１０を用いて説明する。図１０において、画像の表示解像度を横軸、フィルタレベルを縦軸としている。この表示画像の解像度に応じたフィルタレベルの制御は、フィルタ係数決定部２４によるフィルタ係数の決定（設定）によって実現される。
【００９３】
メディアンフィルタ２２の表示解像度による効果や課題については既に前述した通りである。同じ画角の画像を表示する際に、その画像の解像度は、画質を決める上で非常に重要なパラメータであるが、同時に同じサイズのディジタルフィルタの効果も異なってくるという点でも重要になる。
【００９４】
特にメディアンフィルタ２２では、画素データを周辺画素データと入れ替える処理が行われるため、画像を形成する１画素の度合いがフィルタの効果を大きく左右する。考え方によってはノイズを除去するだけではなく、全く違った表示画像になってしまう可能性もある。その際の重要なパラメータが解像度である。
【００９５】
解像度が粗いと、１画素変化の影響が大きく、ノイズが除去できるのと同時に画像内容自体が大きく変化してしまう懸念が存在する。逆に解像度が細かければ、１画素の変化は画全体の構成にほとんど影響を与えないため、適度にノイズのみ除去することが可能になる。つまり、解像度が粗い状態での表示時においては、メディアンフィルタ２２によって画質悪化を引き起こしてしまう可能性があり、真に除去したいノイズ意外はなるべく画素データを変化させないように、フィルタ効果を弱く抑えた方が望ましい。
【００９６】
ディスプレイ自身の解像度の低いモバイル機器などがこれにあたる。但し、モバイル機器などでは、画像のある特定の領域を拡大表示するような状況が存在する。固定画素のディスプレイパネルでの拡大表示は、ある同じものを表示する際の解像度を細かくしていることと等しい。
【００９７】
そこで、本実施例では、ディスプレイパネルの解像度（水平Ｈ，垂直Ｖそれぞれ）×拡大率を表示解像度として換算するという手法を採る。周辺８近傍画素でのディジタルフィルタを用いたメディアンフィルタ処理においては、ＳＸＧＡ（１２８０×１０２４）程度の解像度以下で画質悪化の影響が出始めるため、そこから解像度が小さくなるに従って、徐々にフィルタ強度を弱めていくように制御する。
【００９８】
ここではあるサンプル数で画質悪化を抑えたノイズ除去効果が期待できるフィルタレベル評価の結果、ＱＶＧＡ（３２０×２４０）で一番弱いフィルタ効果が得られるようなコントロールとしている。このようにすることにより、表示解像度に応じて適度にノイズ除去処理が行えるようになる。
【００９９】
続いて、上記構成の表示信号処理部２０における明るさ平均値算出部２３およびフィルタ係数決定部２４によるフィルタ係数の設定（決定）処理の一例について、図１１に示すフローチャートを用いて説明する。この一連の設定処理は、１フレームごともしくは、静止画が切り替わった後の１フレームで実行されるものとする。
【０１００】
先ず、画像送信側から入力される表示信号Ｄｉｎに基づく表示画像の解像度情報Ｌを取り込む（ステップＳ１１）。ここで、表示画像の解像度情報Ｌは通常はディスプレイパネルの垂直ライン数で定義されるが、仮に拡大表示の操作等が行われた場合においては、ディスプレイパネルの垂直ライン数×拡大率で定義される。
【０１０１】
次に、フィルタ係数決定部２４において、取り込んだ解像度情報Ｌを基に最適フィルタレベルＦＬを算出する（ステップＳ１２）。具体的には、解像度情報Ｌに応じたフィルタレベルの制御の一実施例を示す図１０のグラフを参照して最適フィルタレベルＦＬを算出する。このとき、最適フィルタレベルＦＬについては、４／１０００×Ｌを四捨五入して求めるようにする。
【０１０２】
次に、明るさ平均値算出部２３において、入力される表示信号（輝度信号）Ｄｉｎから１フレームあたりの明るさ（輝度）平均値Ｙａｖｅを算出する（ステップＳ１３）。次いで、フィルタ係数決定部２４において、１フレームあたりの明るさ平均値Ｙａｖｅを基に表示画面の明るさ平均を判定する（ステップＳ１４）。ここでは、１フレームあたりの明るさ平均値Ｙａｖｅを比較値（判定値）αと比較することにより、表示画面の明るさ平均を３つに分類判定する。比較値αは、前述した理由から約６０％とする。
【０１０３】
分類判定の３つのうちの一つはＹａｖｅ＞α％、二つはＹａｖｅ＝α％、三つはＹａｖｅ＜α％である。ここで、先述したように、中央値Ｓ４に対して＋側にソートされた場合のフィルタＯＮ／ＯＦＦスレッショルドレベルをＳｔｈ＿ｐとし、−側にソートされた場合のフィルタＯＮ／ＯＦＦスレッショルドレベルをＳｔｈ＿ｎとする。
【０１０４】
そして、先ずＹａｖｅ＞α％と判定した明るさ平均の場合には、フィルタ係数をＳｔｈ＿ｎ＝ＦＬ、Ｓｔｈ＿ｐ＝ＦＬ−１と設定する（ステップＳ１５）。次に、Ｙａｖｅ＝α％と判定した明るさ平均の場合には、フィルタ係数をＳｔｈ＿ｎ＝ＦＬ、Ｓｔｈ＿ｐ＝ＦＬと設定する（ステップＳ１６）。最後に、Ｙａｖｅ＜α％と判定した明るさ平均の場合には、フィルタ係数をＳｔｈ＿ｎ＝ＦＬ−１、Ｓｔｈ＿ｐ＝ＦＬと設定する（ステップＳ１７）。このようにして決定したフィルタ係数をメディアンフィルタ２２に与え（ステップＳ１８）、フィルタ係数を決定するための一連の処理を終了する。
【０１０５】
以上のように、明るさ平均値算出部２３およびフィルタ係数決定部２４による処理の下に、上述した一連の処理を実行することにより、表示画像全体の解像度と画像状態（明るさ平均）に合わせて適宜にメディアンフィルタ２２の強弱をコントロールすることができるようになる。
【０１０６】
なお、上記の処理例では、先に解像度情報Ｌを基に最適フィルタレベルＦＬを算出する処理を行い、その後に１フレームあたりの明るさ平均値Ｙａｖｅを算出する処理を行うとしたが、その順番は逆であっても良いし、両処理を並行して行うようにしても良い。
【０１０７】
また、上述した一連の処理は、明るさ平均値算出部２３およびフィルタ係数決定部２４からなるハードウェア構成を前提としているが、ハードウェア構成の場合に限られるものではない。すなわち、明るさ平均値算出部２３およびフィルタ係数決定部２４を例えばマイクロコンピュータを用いて構成し、当該マイクロコンピュータによる制御の下に、上述した一連の処理をソフトウェアにて実行する構成を採ることも可能である。
【０１０８】
［２−２．実施形態の作用効果］
以上説明したように、表示信号Ｄｉｎに基づく表示画像の解像度情報や１フレームの明るさ平均値を基にメディアンフィルタ２２のフィルタ係数を決定することにより、表示画像の解像度や明るさ平均に応じてメディアンフィルタ２２のフィルタ効果の強弱を制御できる。このフィルタ効果の強弱制御により、多種の解像度表示や画像において、孤立点のようなノイズを確実に除去できるとともに、画質悪化を抑えた適度なノイズ除去効果を実現できる。
【０１０９】
特に、解像度情報Ｌに基づくフィルタ係数の設定に当たっては、表示画像全体の解像度が高いほどフィルタ効果を強くし、当該解像度が低いほどフィルタ効果を弱くするようにメディアンフィルタ２２のフィルタ係数を決定する。これにより、エッジ強調に不要なノイズ成分の除去を確実に行うことができる。
【０１１０】
すなわち、画像情報が少ない（解像度が低い）画像では、本来のエッジ（画像）情報に悪影響を与え、フィルタリングによる画質劣化を招くというメディアンフィルタ２２が持つ問題を解消しつつエッジ強調時のノイズ除去を行うことができる。そして、入力される表示信号Ｄｉｎ、即ち表示画像に対してエッジ強調処理を行うことで、表示画像の高画質化および視認性の向上を図ることができる。
【０１１１】
特に、自発光表示装置である有機ＥＬ表示装置にあっては、基本的に画面内の平均表示輝度が高いほど消費電力を多く必要とするが、エッジ強調処理によってより高画質化を実現できることで高画質化と低消費電力化の両立が可能になるという利点がある。しかも、本適用例に係る有機ＥＬ表示装置は、閾値補正および移動度補正の両補正機能を持つことにより、表示品質の向上を図ることができることから、本実施形態に係るエッジ強調の技術を適用することで、より高画質化を図ることができる。
【０１１２】
＜３．変形例＞
上記実施形態では、有機ＥＬ表示装置に適用した場合を例に挙げて説明したが、本発明に係るエッジ強調の技術は、有機ＥＬ表示装置に限らず、液晶表示装置やプラズマ表示装置など広く平面型（フラットパネル型）表示装置に対して適用可能である。
【０１１３】
＜４．適用例＞
以上説明した本発明による表示装置は、電子機器に入力された映像信号、若しくは、電子機器内で生成した映像信号を、画像若しくは映像として表示するあらゆる分野の電子機器の表示装置に適用することが可能である。一例として、図１２〜図１６に示す様々な電子機器、例えば、デジタルカメラ、ノート型パーソナルコンピュータ、携帯電話等の携帯端末装置、ビデオカメラなどの表示装置に適用することが可能である。
【０１１４】
このように、あらゆる分野の電子機器の表示装置として本発明による表示装置を用いることにより、各種の電子機器における表示画像の画質を改善できる。すなわち、先述した実施形態の説明から明らかなように、本発明による表示装置は、表示画像の解像度や明るさ平均に応じてメディアンフィルタのフィルタ効果の強弱を制御することが可能になる。したがって、各種の電子機器において、本発明による表示装置を用いることで、多種の解像度表示や画像において、画質悪化を抑えた適度なノイズ除去を実現できるために、高品質な表示画像を提供できる。
【０１１５】
本発明による表示装置は、封止された構成のモジュール形状のものをも含む。例えば、画素アレイ部３０に透明なガラス等の対向部が貼り付けられて形成された表示モジュールが該当する。この透明な対向部には、カラーフィルタ、保護膜等、更には、上記した遮光膜が設けられてもよい。なお、表示モジュールには、外部から画素アレイ部への信号等を入出力するための回路部やＦＰＣ（フレキシブルプリントサーキット）等が設けられていてもよい。
【０１１６】
以下に、本発明が適用される電子機器の具体例について説明する。
【０１１７】
図１２は、本発明が適用されるテレビジョンセットの外観を示す斜視図である。本適用例に係るテレビジョンセットは、フロントパネル１０２やフィルターガラス１０３等から構成される映像表示画面部１０１を含み、その映像表示画面部１０１として本発明による表示装置を用いることにより作製される。
【０１１８】
図１３は、本発明が適用されるデジタルカメラの外観を示す斜視図であり、（Ａ）は表側から見た斜視図、（Ｂ）は裏側から見た斜視図である。本適用例に係るデジタルカメラは、フラッシュ用の発光部１１１、表示部１１２、メニュースイッチ１１３、シャッターボタン１１４等を含み、その表示部１１２として本発明による表示装置を用いることにより作製される。
【０１１９】
図１４は、本発明が適用されるノート型パーソナルコンピュータの外観を示す斜視図である。本適用例に係るノート型パーソナルコンピュータは、本体１２１に、文字等を入力するとき操作されるキーボード１２２、画像を表示する表示部１２３等を含み、その表示部１２３として本発明による表示装置を用いることにより作製される。
【０１２０】
図１５は、本発明が適用されるビデオカメラの外観を示す斜視図である。本適用例に係るビデオカメラは、本体部１３１、前方を向いた側面に被写体撮影用のレンズ１３２、撮影時のスタート／ストップスイッチ１３３、表示部１３４等を含み、その表示部１３４として本発明による表示装置を用いることにより作製される。
【０１２１】
図１６は、本発明が適用される携帯端末装置、例えば携帯電話機を示す外観図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。本適用例に係る携帯電話機は、上側筐体１４１、下側筐体１４２、連結部（ここではヒンジ部）１４３、ディスプレイ１４４、サブディスプレイ１４５、ピクチャーライト１４６、カメラ１４７等を含んでいる。そして、ディスプレイ１４４やサブディスプレイ１４５として本発明による表示装置を用いることにより本適用例に係る携帯電話機が作製される。
【符号の説明】
【０１２２】
１０…表示装置（有機ＥＬ表示装置）、２０…表示信号処理部（表示信号処理装置）、２１…エッジ強調処理部、２２…メディアンフィルタ、２３…明るさ平均値算出部、２４…フィルタ係数決定部、３０…表示パネルモジュール、３１…画素アレイ部、３２…書込み走査回路、３３…電源供給走査回路、３４…信号出力回路（水平セレクタ）、４０…画素、４１…有機ＥＬ素子、４２…駆動トランジスタ、４３…書込みトランジスタ（サンプリングトランジスタ）、４４…保持容量、２１１…加算部、２１２…エッジ抽出部、２１３…エッジ量制御部
【図１】
2011028473.tif 000003
【図２】
2011028473.tif 000004
【図３】
2011028473.tif 000005
【図４】
2011028473.tif 000006
【図５】
2011028473.tif 000007
【図６】
2011028473.tif 000008
【図７】
2011028473.tif 000009
【図８】
2011028473.tif 000010
【図９】
2011028473.tif 000011
【図１０】
2011028473.tif 000012
【図１１】
2011028473.tif 000013
【図１２】
2011028473.tif 000014
【図１３】
2011028473.tif 000015
【図１４】
2011028473.tif 000016
【図１５】
2011028473.tif 000017
【図１６】
2011028473.tif 000018